(57)【特許請求の範囲】
【請求項１】
内燃機関の出力を電力に変換して駆動用モータおよびバッテリに給電するとともに前記バッテリからも前記駆動用モータに給電可能に構成された電力供給系と、前記内燃機関の排気通路に設けられて排気に含まれるパティキュレートを捕集するフィルタとを備えたハイブリッドシステムにおいて、
前記フィルタの温度を検出する温度検出手段と、
前記内燃機関が運転中で前記フィルタの温度がその再生可能な温度状態にあるとき、前記内燃機関の負荷を一時的に低下させる制御手段と
を具備したことを特徴とするハイブリッドシステムの制御装置。
【請求項２】
内燃機関の出力を電力に変換して駆動用モータおよびバッテリに給電するとともに前記バッテリからも前記駆動用モータに給電可能に構成された電力供給系と、前記内燃機関の排気通路に設けられて排気に含まれるパティキュレートを捕集するフィルタとを備えたハイブリッドシステムにおいて、
前記フィルタの温度を検出する温度検出手段と、
前記内燃機関が運転中で前記フィルタの温度がその再生可能な温度状態にあり、かつ、前記駆動用モータへの要求出力が前記バッテリからの給電により出力可能な範囲内にあるとき、前記内燃機関の負荷を一時的に無負荷まで低下させる制御手段と
を具備したことを特徴とするハイブリッドシステムの制御装置。
【請求項３】
内燃機関の出力を電力に変換して駆動用モータおよびバッテリに給電するとともに前記バッテリからも前記駆動用モータに給電可能に構成された電力供給系と、前記内燃機関の排気通路に設けられて排気に含まれるパティキュレートを捕集するフィルタとを備えたハイブリッドシステムにおいて、
前記フィルタの温度を検出する温度検出手段と、
前記駆動用モータへの要求出力に応じた電力を得るために前記内燃機関が運転中であって前記フィルタの温度がその再生可能な温度状態にあり、かつ、前記駆動用モータへの要求出力が前記バッテリからの給電により出力可能な最大出力を超えているとき、この最大出力と前記要求出力との差分まで出力を低減するべく前記内燃機関の負荷を一時的に低下させるとともに前記バッテリの給電による最大出力と前記一時的に低下された負荷に応じた発電による出力との合算により前記要求出力を得る制御手段と
を具備したことを特徴とするハイブリッドシステムの制御装置。
【請求項４】
前記制御手段は、前記フィルタの温度が高いときほど所定時間あたりに前記内燃機関の負荷を低下させる頻度および時間の少なくとも一方を増やすことを特徴とする請求項１から３の何れかに記載のハイブリッドシステムの制御装置。
【請求項５】
前記制御手段は、前記フィルタに捕集されたパティキュレートの堆積量を推定し、その推定した堆積量に応じて所定時間あたりに前記内燃機関の負荷を低下させる頻度を変更することを特徴とする請求項１から３の何れかに記載のハイブリッドシステムの制御装置。
【請求項６】
前記制御手段は、前記フィルタに捕集されたパティキュレートの堆積量を推定し、その推定した堆積量が所定量以上の場合および前記フィルタの温度が所定温度以上の場合の少なくとも一方にあっては、前記内燃機関の負荷を低下させることを禁止することを特徴とする請求項１から３の何れかに記載のハイブリッドシステムの制御装置。
【請求項７】
内燃機関の出力を電力に変換して駆動用モータおよびバッテリに給電するとともに前記バッテリからも前記駆動用モータに給電可能に構成された電力供給系と、前記内燃機関の排気通路に設けられて排気に含まれるパティキュレートを捕集するフィルタとを備えたハイブリッドシステムにおいて、
前記フィルタの温度を検出する温度検出手段と、
前記内燃機関が運転中で前記フィルタの温度がその再生可能な温度状態にあるとき、前記内燃機関の負荷を所定期間にわたって間欠的に低下させる制御手段と
を具備したことを特徴とするハイブリッドシステムの制御装置。
【発明の詳細な説明】
【０００１】
【発明の属する技術分野】
本発明は、内燃機関の出力を電力に変換して駆動用モータを作動させるハイブリッドシステムに係り、特に内燃機関の排気通路に排気を浄化するためのフィルタを備えたハイブリッドシステムの制御装置に関する。
【０００２】
【従来の技術】
この種のハイブリッドシステムの制御装置としては、例えば特開平１１−２１０４４８号公報に記載されたハイブリッド車の内燃機関制御装置が挙げられる。この公知の制御装置は、触媒や空燃比センサ等の排気浄化設備を活性温度以上に保持するため、例えば触媒温度が所定温度以下になると電気ヒータに通電し、あるいは内燃機関の負荷を通常よりも増加して排気温度を高めるものとしている。これにより、触媒や空燃比センサの温度が適宜活性温度に保たれるので、これら排気浄化設備の有効活用が図られると考えられる。
【０００３】
またハイブリッドシステムにおける内燃機関の排気浄化に関しては、公知の制御装置のように触媒を用いて排気中の有害成分を化学的に転化する場合の他に、フィルタを用いて排気に含まれるパティキュレートを物理的に捕集する場合がある。後者の場合、フィルタを一定期間連続して使用すると、そこに捕集されたパティキュレートの堆積量が増えて排気抵抗が増大するため、その連続使用のためには再生作業を必要とする。この再生作業を内燃機関の運転時に行うために、例えばフィルタの昇温によるパティキュレートの連続燃焼が行われている。具体的には内燃機関の排気温度を上昇させたり、あるいは、外部熱源を用いたりしてフィルタを再生可能温度にまで熱し、その熱でパティキュレートを酸化させて除去するというものである。
【０００４】
【発明が解決しようとする課題】
後者の場合において、上述した公知の内燃機関制御装置はフィルタを再生可能な温度にまで昇温させる手段としては利用できるものの、パティキュレートの酸化を促進するための手段としては有効ではない。すなわち、フィルタの再生にあってはその温度条件だけでなく排気中の酸素濃度も重要なファクタとなるため、単に排気温度を上昇させていても、その酸素濃度が極端に低い場合はパティキュレートの酸化が緩慢になり、フィルタの再生には長時間を要することとなる。このためフィルタ再生時に公知の制御装置を用いた場合は多くの燃料を消費し、ハイブリッドシステムの燃費悪化を招くおそれがある。
【０００５】
そこで本発明はフィルタの再生時間を短縮し、ハイブリッドシステムの効率的な運用を実現することを課題としたものである。
【０００６】
【課題を解決するための手段】
本発明のハイブリッドシステムの制御装置（請求項１）は、内燃機関の運転中にフィルタを再生する場合、フィルタの温度が再生可能な温度状態にあることを条件として内燃機関の負荷を一時的に低下させるものである。
内燃機関の運転中にその負荷を一時的に低下させれば、その間に排気の酸素濃度は一気に増大する。このため一時的にフィルタが高温・高酸素濃度状態となり、パティキュレートの酸化が大幅に促進される。また言うまでもなくフィルタの熱容量は充分に大きいため、負荷の低下によって排気温度が低下しても急激にフィルタが冷却されることはない。
【０００７】
通常、ハイブリッドシステムからのアウトプットは、例えば駆動用モータに対する要求出力を賄うことが目標となっている。このためシステム内では駆動用モータに所望の要求出力を発揮させるために必要な電力を供給するべく内燃機関の負荷が決定されている。上述のごとく内燃機関の負荷を一時的に低下させることは、その給電能力の低下を意味することから、その低下分をバッテリから補償し得る範囲内で上述の制御を行うことが望ましいといえる。
【０００８】
このため、より実用的なハイブリッドシステムの制御装置（請求項２）はフィルタの温度状態に加え、駆動用モータへの要求出力がバッテリからの給電により出力可能な範囲にあることを条件として内燃機関の負荷を一時的に無負荷まで低下させる。この場合、そのシステム内でフィルタを通る排気の酸素濃度が最大まで引き上げられ、パティキュレートの酸化は最も活発となる。
【０００９】
上述のように本発明によるシステムの制御は、内燃機関の負荷を一時的に低下させる分、その間の給電能力の低下をバッテリに依存して補償するものである。このため駆動用モータへの要求出力がバッテリからの給電により出力可能な最大出力を超えているときは、その最大出力と要求出力との差分まで出力を低減するべく内燃機関の負荷を低下させる（請求項３）。このような制御は特に、システムに大きなアウトプットが要求されていたり、バッテリ容量が低下していたりする場合には有効である。
【００１０】
また上述のように、フィルタの再生には一定の時間を要するが、その全体的な所要時間は、パティキュレートの酸化を促進するほど短縮可能である。したがって、フィルタに高酸素濃度の排気を供給する回数やその１回あたりの時間を増やせば、更に再生時間の短縮化を図ることができる。
このため本発明の制御装置（請求項４）は、フィルタの温度が高いときほど内燃機関の負荷を低下させる頻度やその時間を増やすことができる。具体的には、所定時間あたりに内燃機関の負荷を低下させる回数を多くすればその頻度が増え、また、１回に負荷を低下させる期間を延ばせばその時間が増える。このような制御が可能となるのは、フィルタ温度はより高温状態のときほど、排気によって冷却される機会が増えたとしても再生可能温度以下まで低下しにくくなることに基づいている。
【００１１】
通常、フィルタに多量のパティキュレートが堆積していると、その分、再生に要する時間も長くなる。このような場合には、フィルタの再生を一層促進することで早期に再生を終えることができる。
このため本発明の制御装置（請求項５）はパティキュレートの堆積量を推定し、その推定した堆積量に応じて内燃機関の負荷を低下させる頻度を変更することができる。この場合、堆積量が多いときほど負荷の低下を頻繁に行い、逆に堆積量が少ないときほど頻度を下げるように制御することが好ましい。
【００１２】
パティキュレートの酸化の促進がフィルタ再生時間の短縮につながることは上述した通りであるが、その燃焼熱によってフィルタが過熱すると、極端な場合は溶損に至るおそれもある。例えば、フィルタの再生時にパティキュレートの堆積量が極端に多かったり、あるいはフィルタそのものの温度が極端に高かったりする場合、パティキュレートの酸化を大きく促進すると、かえってフィルタを過熱させる危険性の方が高いともいえる。
【００１３】
このため本発明の制御装置（請求項６）は、推定したパティキュレートの堆積量が所定量以上である場合、または、フィルタ温度が所定温度以上である場合は内燃機関の負荷の低下を禁止し、通常の条件でフィルタの再生を行う。
また、本発明の制御装置（請求項７）は、内燃機関の運転中にフィルタを再生する場合、フィルタの温度が再生可能な温度状態にあることを条件として内燃機関の負荷を所定期間にわたって間欠的に低下させ、その間に排気の酸素濃度を増大させてフィルタを高温・高酸素濃度状態とし、パティキュレートの酸化を促進するものである。
【００１４】
【発明の実施の形態】
図１は、本発明を車両に適用した場合の一実施形態を概略的に示している。このハイブリッド車両のシステムはいわゆるシリーズ式と称されるものであり、エンジン１のクランク軸は発電機２のみに接続されている。エンジン１の出力は発電機２により電力に変換され、その変換された電力は車両の駆動用モータ４およびバッテリ６に供給可能となっている。バッテリ６は二次電池からなり、発電機２から供給される電力を蓄える一方、駆動用モータ４へ電力を供給可能となっている。それゆえ、このハイブリッド車両のシステムでは、駆動用モータ４は発電機２およびバッテリ６からそれぞれ電力の供給を受けて作動する。また駆動用モータ４の出力軸は、例えば歯車減速機構８を介して車軸に接続されており、車両の駆動輪Ｗはモータ出力によって駆動される。
【００１５】
システムのエンジン１はディーゼルエンジンからなり、その排気通路にディーゼルパティキュレートフィルタ（以下、単に「ＤＰＦ」と称する。）１０が配設されている。ＤＰＦ１０はエンジン１の排気に含まれるパティキュレート（粒子状物質）を捕集して排気を浄化する機能を有している。
ハイブリッド車両のシステムは、その具体的な作動を制御ユニット（以下、単に「ＥＣＵ」と称する。）１２によってコントロールされている。例えば、エンジン１の燃料供給系にはコモンレールシステム（図示していない）が採用されており、ＥＣＵ１２はそのインジェクタに対して作動信号を出力し、その燃料噴射量や噴射時期等を具体的に制御している。合わせてＥＣＵ１２は発電機２による発電量やバッテリ６の充電・放電の動作、駆動用モータ４の出力等を総合的に制御し、運転者の要求出力に応じたアウトプット、つまり、駆動輪Ｗからの駆動力を発生させる機能を有している。
【００１６】
運転者の要求出力は例えばアクセルポジションセンサ１４を用いて検出することができ、ＥＣＵ１２はアクセルポジションセンサ１４からのセンサ信号に基づいてシステムのアウトプットを制御する。例えば車両の加速要求等の場合に運転者の要求出力が増加すると、ＥＣＵ１２はエンジン１の負荷を増やしてその出力を高め、発電機２から駆動用モータ４への電力供給量を多くする。この結果、運転者の要求出力の増加分に応じたモータ出力の増加が得られ、システムのアウトプットは要求出力に合致する。また定常的に要求出力が安定している場合、ＥＣＵ１２はエンジン１の負荷を一定に保持して発電量を安定化させ、あるいはバッテリ６から駆動用モータ４に給電してシステムのアウトプットを要求出力に保持する。
【００１７】
以上はハイブリッドシステムを車両に適用した場合の概略的な構成および動作である。ここでＥＣＵ１２は更に、ハイブリッド車両の走行中にＤＰＦ１０を再生する制御を行う機能も合わせて有している。
図１のハイブリッドシステムにおけるＤＰＦ１０の再生は、例えば排気温度の上昇によってその条件を整えることができる。この場合、例えばＥＣＵ１２は燃料をポスト噴射させることにより排気温度を通常負荷よりも上昇させ、その熱でＤＰＦ１０を昇温させることができる。ポスト噴射は例えば、燃料の主噴射後の膨張行程で行われ、このポスト噴射によって供給された燃料は筒内で燃焼し、その燃焼熱で排気温度を高める。なお、このような制御はフィルタ再生手段の一例といえる。
【００１８】
またＤＰＦ１０の上流に酸化触媒（図示していない）を配置している場合は、ポスト噴射によって未燃ＨＣガスを排気に混入させ、酸化触媒での酸化熱によりＤＰＦ１０の温度を上昇させることもできる。なお、酸化触媒はＤＰＦ１０そのものに担持されていてもよい。その他、ＤＰＦ１０を電気ヒータ等により加熱して再生を行う態様であってもよい。
【００１９】
このように、ＤＰＦ１０の昇温によって再生可能な温度に達すると、その温度条件を保持することでパティキュレートの酸化が進み、やがて再生作業は終了する。以上は通常行われるＤＰＦ１０の連続再生であるが、パティキュレートの堆積量が通常よりも多い場合等は再生時間も長期化する。
そこで、ＥＣＵ１２は上述のようにＤＰＦ１０の再生を開始すると、次に再生を促進する必要があるか否かを判断し、その必要があれば再生促進モードを実施する機能を有している。
【００２０】
【実施例】
以下、再生促進モードについて具体的な実施例を挙げて説明する。
図２は、再生促進モードの実施に関する制御フローの一例を示している。ＥＣＵ１２はＤＰＦ１０の再生制御を開始すると、先ずパティキュレートの堆積量を推定する（ステップＳ１）。堆積量の推定は例えば、ＤＰＦ１０の出入口間の差圧やエンジン１の運転継続時間等に基づいて行うことができる。このためエンジン１の排気通路には、ＤＰＦ１０の前後の位置にそれぞれ排気圧センサ（図示していない）が配置されており、またＥＣＵ１２にはタイマ機能が組み込まれている。排気圧センサを用いる場合、ＥＣＵ１２はそれぞれのセンサ信号に基づいてフィルタ差圧を求め、その大きさからパティキュレートの堆積量を推定することができる。またタイマ機能を働かせる場合、ＥＣＵ１２は前回のフィルタ再生作業が終了した時点から現時点までの経過時間に基づいて運転継続時間を計測し、その時間的な長さから堆積量を推定することができる。なお、このような処理は堆積量推定手段の一例といえる。
【００２１】
次にＥＣＵ１２は、推定した堆積量に基づいてＤＰＦ１０の再生促進が必要であるか否かを判断する（ステップＳ２）。例えば、堆積量が通常の再生作業において許容しうる範囲内にあれば、特に再生促進モードを実行する必要はないと判断できる（ＮＯ）。これに対し、許容範囲を超える量のパティキュレートが堆積している状況にあっては、ＥＣＵ１２は再生促進モードを実行する必要があるものとして判断する（ＹＥＳ）。なお、堆積量の許容範囲は、例えば通常の再生時間内で充分にＤＰＦ１０の再生が可能なパティキュレートの量を基準として設定することができる。
【００２２】
再生促進が必要と判断すると、ＥＣＵ１２は続いてＤＰＦ１０の温度を検出する（ステップＳ３）。図１に示されているように、ＤＰＦ１０には温度センサ１６が設けられており、ＥＣＵ１２はこの温度センサ１６からのセンサ信号に基づいてＤＰＦ１０の温度（または雰囲気温度）を検出することができる（温度検出手段）。
【００２３】
次にＥＣＵ１２は、ＤＰＦ１０の温度が再生可能な温度状態にあるか否かを確認する（ステップＳ４）。例えば、ＥＣＵ１２はＤＰＦ１０の温度が所定時間ｔ１継続して再生可能温度Ｔ１を超えていることを確認した場合（ＹＥＳ）、次に再生促進モードを開始する（ステップＳ５）。
ここで、再生可能温度Ｔ１の具体的な値としては、例えば約５５０℃程度を設定することができる。また所定時間ｔ１はＤＰＦ１０の温度が安定していることを判断できる時間として例えば数秒間に設定することができる。何れにしても、使用するべきフィルタの仕様に応じて再生可能温度Ｔ１や所定時間ｔ１の値を適宜設定すればよい。
【００２４】
再生促進モードの詳細な内容についてはいくつかの好ましい実施例を挙げることができ、図２には第１実施例が示されている。
ＥＣＵ１２は再生促進モードを開始すると、運転者の車両要求出力がバッテリ６からの給電のみによって駆動用モータ４から出力できる最大出力の範囲内にあるか否かを判定する（ステップＳ６）。なお最大出力の具体的な値はその都度、バッテリ容量等の条件によって異なったものとなる。
【００２５】
上記の判定が成立する場合（ＹＥＳ）、ＥＣＵ１２はエンジン１の無負荷運転を開始する（ステップＳ７）。無負荷運転はエンジン１を負荷のない状態で運転するものであり、例えばこのとき発電機２による発電は停止した状態になる。
無負荷運転の開始後、所定時間ｔ２が経過するまでＥＣＵ１２はエンジン１の無負荷運転を継続する（ステップＳ８＝ＮＯ）。そして所定時間が経過すると（ＹＥＳ）、ＥＣＵ１２はエンジンの無負荷運転を停止して通常運転に復帰する（ステップＳ９）。
【００２６】
次にＥＣＵ１２は、再生促進モードの開始後に所定時間ｔ３が経過したかを確認する（ステップＳ１０）。その所定時間ｔ３が経過していなければ（ＮＯ）、ＥＣＵ１２は次に通常運転へ復帰後に所定時間ｔ４が経過したかを確認する（ステップＳ１１）。
ここで、上記の所定時間ｔ２の具体的な値は例えば１秒〜２秒程度に設定することができる。また、所定時間ｔ３の値は例えば５分〜１０分程度と最も長く、そして、所定時間ｔ４の値は６０秒程度に設定することができる。ただし、これら時間ｔ２，ｔ３，ｔ４は異なる値に設定することもできるし、また後述のようにＤＰＦ１０の温度や堆積量等の条件に応じて変更することもできる。
【００２７】
無負荷運転から通常運転へ復帰した後、上記の所定時間ｔ４が経過すると（ステップＳ１１＝ＹＥＳ）ＥＣＵ１２は車両要求出力の判定に戻り（ステップＳ６）、再度エンジン１の無負荷運転を開始する（ステップＳ７）。
図３は、再生促進モードの実行による各種状態の時間的な変化を示している。図３のエンジン負荷の変化に示されているように、再生促進モードを開始した時点ａから上記の所定時間ｔ３が経過するまでの間、ＥＣＵ１２は所定時間ｔ４の間隔をおいて無負荷運転を繰り返し実施していることが理解される。また酸素濃度の変化から明らかなように、エンジン１の無負荷運転が行われている間（所定時間ｔ２）、ＤＰＦ１０を通る排気の酸素濃度は一気に高くなっている。このような負荷または酸素濃度の急激な変化の様子が観察されることから、本発明において一時的にエンジン１の負荷を低下させることを「軽負荷スパイク運転」と称することができる。
【００２８】
「軽負荷スパイク運転」が実施されている期間（所定時間ｔ２）は、駆動用モータ４にはバッテリ６から給電されるので、車両要求出力に対して駆動力が一時的に低下することはない。なお、「軽負荷スパイク運転」の間に排気温度が低下するためＤＰＦ１０の温度は一時的に低下しているが、ＤＰＦ１０の熱容量が充分大きいためにＤＰＦ１０の温度が再生可能温度Ｔ１を下回ることはない。
【００２９】
上述のように、「軽負荷スパイク運転」を実施するとＤＰＦ１０が一時的に高温・高酸素濃度の状態となり、パティキュレートの酸化が一気に促進される。このため「軽負荷スパイク運転」を停止しても、それ以降の酸化が活発となり、ＤＰＦ１０の再生が促進されることになる。
「軽負荷スパイク運転」には、上述のようにエンジン１を無負荷の状態で運転するだけでなく、一時的に低負荷で運転する場合もある。具体的には、上述した車両要求出力の判定（ステップＳ６）において、バッテリ６からの給電により出力可能な最大出力を超えていると判定されたとき（ＮＯ）、ＥＣＵ１２は演算によりエンジン１の負荷を決定し、その結果に基づいてエンジン１の負荷を一時的に低下させる（ステップＳ１２）。具体的には、車両要求出力から最大出力を減算し、その差分の出力に応じてエンジン１の負荷を決定する。
【００３０】
この場合、駆動用モータ４にはバッテリ６および発電機２の双方から給電される。このうち、バッテリ６からの給電による最大出力と、エンジン１の負荷に応じた発電による出力との合算により駆動用モータ４の出力が得られ、結果としてシステムのアウトプットは要求出力に合致する。
なお、制御上は無負荷運転の処理（ステップＳ７）を迂回しているので、所定時間ｔ２経過の判定は低負荷運転を開始した時点から行われる（ステップＳ８）。このような低負荷運転の場合であっても、エンジン負荷や酸素濃度の変化の様子は無負荷運転の場合と同様の結果が観測される（図３参照）。
【００３１】
図４は、再生促進モードに関する第２実施例を示している。この場合、上述した再生促進モードの開始処理（ステップＳ５）をサブルーチンとして構成することができる。
ＥＣＵ１２はＤＰＦ１０の温度が所定温度Ｔ２を超えているか否か、あるいは、推定したパティキュレートの堆積量が所定量Ｇを超えているか否かを判定する（ステップＳ５１）。
【００３２】
上記の判定が何れも不成立（ＮＯ）の場合、ＥＣＵ１２はＤＰＦ１０の温度に基づいて上記の所定時間ｔ２，ｔ３，ｔ４等の値を設定する（ステップＳ５２）。例えば、ＤＰＦ１０の温度が充分に高ければ、「軽負荷スパイク運転」の実施によりＤＰＦ１０が冷却されてもその温度は再生可能温度を下回らないといえる。このため、ＥＣＵ１２はＤＰＦ１０の温度が高いときほど所定時間ｔ２を延長し、あるいは、所定時間ｔ４を短縮して「軽負荷スパイク運転」の頻度やその時間を増やすようにする。具体的には、ＥＣＵ１２には予め、ＤＰＦ１０の温度に応じて「軽負荷スパイク運転」の頻度および時間を設定するためのマップが与えられており、ＥＣＵ１２はこのマップを検索して所定時間ｔ２，ｔ４等を設定することができる。また、このとき再生促進モードを終了するまでの時間ｔ３を合わせて変更するようにしてもよい。
【００３３】
上述のように各所定時間ｔ２，ｔ４の設定を終えると、ＥＣＵ１２は図２のメインルーチンに復帰し、車両要求出力の判定処理（ステップＳ６）に移行する。図５は、再生促進モードに関する第３実施例を示している。この場合も、同様に再生促進モードの開始処理（ステップＳ５）がサブルーチンとして構成されている。
【００３４】
始めにＥＣＵ１２がＤＰＦ１０の温度条件またはパティキュレートの堆積量の条件を判定する処理（ステップＳ５１）は第２実施例の場合と同様である。
上記の判定が何れも不成立（ＮＯ）の場合、ＥＣＵ１２は推定したパティキュレートの堆積量に基づいて上記の所定時間ｔ２，ｔ３，ｔ４等の値を設定する（ステップＳ５３）。例えば、パティキュレートの堆積量が多い場合、「軽負荷スパイク運転」を頻繁に実施し、逆に堆積量があまり多くない場合は「軽負荷スパイク運転」の頻度を減らしてもよい。
【００３５】
このため、ＥＣＵ１２は推定したパティキュレートの堆積量が多いときほど所定時間ｔ４を短縮して「軽負荷スパイク運転」を頻繁に実施し、逆に堆積量が少ないときほど所定時間ｔ４を延長して「軽負荷スパイク運転」の頻度を減らすようにする。ＥＣＵ１２には予め、パティキュレートの堆積量に応じて「軽負荷スパイク運転」の頻度を設定するためのマップが与えられており、ＥＣＵ１２はこのマップを検索して所定時間ｔ４を設定することができる。また、このとき「軽負荷スパイク運転」の１回あたりの時間ｔ２や、再生促進モードを終了するまでの時間ｔ３を合わせて変更するようにしてもよい。
【００３６】
また、上述した第２および第３実施例にあっては、最初の判定（ステップＳ５１）においてＤＰＦ１０の温度が所定温度Ｔ２を超えている場合、または、推定堆積量が所定量Ｇを超えている場合はその判定が成立（ＹＥＳ）する。この場合、ＥＣＵ１２は再生促進モードを禁止するものとする（ステップＳ５４）。
再生促進モードの禁止は、例えばＤＰＦ１０の温度が極端に高い場合やパティキュレートの堆積量が極端に多い場合に「軽負荷スパイク運転」の実施を禁止するものである。これらの場合、「軽負荷スパイク運転」によってパティキュレートの酸化が促進されると、その燃焼熱でＤＰＦ１０が過熱し、溶損に至る危険性が高いことを考慮したものである。なお、所定温度Ｔ２や所定量Ｇの具体的な値は、実際に使用するべきＤＰＦ１０の材質やその耐熱温度等の仕様に応じて適宜決定することができる。
【００３７】
再生促進モードを禁止した場合、ＥＣＵ１２はそれ以降の処理を終了する。この場合、ＥＣＵ１２は図２のルーチンを終了し、上述した通常時の制御（ポスト噴射等）によりＤＰＦ１０の再生を続行する。
上述した第１実施例の場合、「軽負荷スパイク運転」の実施によりパティキュレートの燃焼が活発化し、早期にフィルタ差圧が低下する。このため、ＤＰＦ２の再生作業に要する時間を大幅に短縮することができる。なお、再生作業の終了時期は例えばフィルタ差圧の低下によって判断することができる。
【００３８】
更に第２，第３実施例の場合、フィルタの温度やパティキュレートの堆積量に応じて適切な態様により再生促進が実現され、再生時の諸条件の違いを考慮したきめ細かな制御が可能となる。合わせて再生促進モードの禁止条件を判断しているため、ＤＰＦ１０の信頼性を大きく向上させている。
このようなＤＰＦ１０の再生促進により、ハイブリッドシステム全体として再生作業の実施回数を少なくすることが可能となる。すなわち、１回の再生作業で除去できるパティキュレートの量を従来よりも多めに見込むことが可能となるため、ＤＰＦ１０の再生頻度を低減することが可能となる。一方、再生作業の促進は１回あたりの燃料消費量を低減し、ハイブリッドシステム全体としての省燃費化に大きく寄与する。
【００３９】
本発明は上述した一実施形態に制約されることなく、各種の形態により実施可能である。例えば、本発明が適用されるハイブリッド車両の形態は乗用車だけでなく、トラックやバス等の大型車両にも適合する。ただし、本発明は車両以外にも適用可能である。
再生促進モードの実施例においては、「軽負荷スパイク運転」についてエンジン１を無負荷または低負荷の何れか一方のみに低下させる場合を挙げているが、例えば、車両の走行過程で運転者の要求出力が過渡的に変動した場合、その判定結果（ステップＳ６）に基づいて無負荷から低負荷へ移行したり、あるいは、低負荷から無負荷へ移行したりする場合もあり得る（ステップＳ７，Ｓ１２）。
【００４０】
その他、各実施例としてあげた制御フローは何れも好ましい例示であり、その具体的な処理の内容や手順等は適宜書き換えて実施可能である。
【００４１】
【発明の効果】
本発明のハイブリッドシステムの制御装置（請求項１、７）は、フィルタの再生に要する期間やその回数を低減し、システムの省燃費性やその信頼性を大きく向上する。
特に、内燃機関の負荷を無負荷まで低下させる場合（請求項２）、システム内の最も高い酸素濃度を作り出すことができ、最大の再生促進効果が得られる。一方、再生促進時に要求出力を犠牲にすることはないので（請求項３）、ハイブリッドシステムの挙動が不安定化することはない。
【００４２】
また、フィルタの温度条件やパティキュレート堆積量等に応じて再生促進の頻度を調節する機能を有するため（請求項４，５）、ハイブリッドシステムの利用状態に合わせて好ましい制御が可能となる。更に再生促進の禁止条件をも合わせて考慮していれば（請求項６）、安全性や信頼性の面で大きな優位性を誇る。
【図面の簡単な説明】
【図１】ハイブリッドシステムの制御装置を車両に適用した一実施形態を表す概略図である。
【図２】再生促進モードに関する第１実施例を表すフローチャートである。
【図３】再生促進モードの実施に伴う各種状態の時間的な変化を表すグラフである。
【図４】図２とともに再生促進モードの第２実施例を表すフローチャートである。
【図５】図２とともに再生促進モードの第３実施例を表すフローチャートである。
【符号の説明】
１  エンジン
２  発電機
４  駆動用モータ
６  バッテリ
１０  ＤＰＦ（フィルタ）
１２  ＥＣＵ（制御手段）
【図１】
0003719393.tif 000002
【図２】
0003719393.tif 000003
【図３】
0003719393.tif 000004
【図４】
0003719393.tif 000005
【図５】
0003719393.tif 000006